(57)【要約】【課題】  スライドショー再生に変化を与えることが出来る電子アルバム装置及び電子アルバム作成鑑賞方法を提供する。【解決手段】  メモリ内に格納された複数の画像からなる画像データ群から画像を選択して再生する再生手段と、上記画像ごとの選択頻度を検出する頻度検出手段と、上記選択頻度に従って上記複数の画像から抽出された画像からなる第２の画像データ群を決定する決定手段とを具備する電子アルバム装置である。【選択図】    図２
2006157632.tif 000002
【特許請求の範囲】
【請求項１】
メモリ内に格納された複数の画像からなる画像データ群から画像を選択して再生する再生手段と、
上記画像ごとの選択頻度を検出する頻度検出手段と、
上記選択頻度に従って上記複数の画像から抽出された画像からなる第２の画像データ群を決定する決定手段と、
を具備することを特徴とする電子アルバム装置。
【請求項２】
メモリ内に格納された複数の画像からなる画像データ群から画像を選択して再生する再生手段と、
上記画像毎の再生時間を検出する再生時間検出手段と、
上記再生時間に従って上記複数の画像から抽出された画像からなる第２の画像データ群を決定する決定手段と、
を具備することを特徴とする電子アルバム装置。
【請求項３】
上記再生手段は、更に上記第２の画像データ群の画像を連続して再生し、
上記電子アルバム装置は、上記第２の画像データ群の画像の上記選択頻度または再生時間に応じて、上記再生手段が連続再生する画像毎の再生時間と再生時の画像サイズとの少なくとも何れか一方を決定する決定手段を更に具備することを特徴とする請求項１または２のいずれかに記載の電子アルバム装置。
【請求項４】
複数の画像データを格納した記憶手段と、
この記憶手段内の複数の画像データをグループ化するグループ化手段と、
上記画像データのグループを選択し、選択されたグループ内の画像データを順次再生する再生手段と、
を具備し、
上記グループ化手段は、上記複数の画像データをグループ化する際の1画像あたりの累積再生時間、または、同一画像に対する累積選択回数に応じた情報を当該画像データの属性として付加するものであり、
上記再生手段は、上記選択されたグループ内の画像データを順次再生する際に上記属性情報を参照して画像の再生時間、または再生サイズを変更することを特徴とする電子アルバム装置。
【請求項５】
ブラウズモードとスライドショーモードを有し、画像記録媒体中に第１のグループ化態様にて予め記録された複数の電子画像ファイルについて上記第１のグループ化とは異なる第２のグループ化態様を実現して、この仮想グループ単位で上記画像ファイルを取り扱うことにより電子アルバムを作成鑑賞する装置であって、
上記画像ファイルを任意に指定してブラウズ操作を行う際に活性化され、どの画像ファイルが何回選択されたか、及び何秒間表示したかをカウントして、当該画像ファイル名とカウントデータと最終アクセス日時とを記録する、上記画像記録媒体中に画像ファイルとは独立して置かれるアクセス記録ファイルと、
上記アクセス記録ファイルを参照して、アクセス頻度の高いものについて、スライドショー実行時の表示時間ならびに表示サイズの少なくとも何れか一方を他のものと異ならせるスライドショー制御手段と、
を具備することを特徴とする電子アルバム装置。
【請求項６】
上記第２のグループ化操作は仮想的な操作であることを特徴とする請求項５記載の電子アルバム装置。
【請求項７】
上記表示されるスライドショー画面は全画面サイズのみならず、少なくとも１枚の縮小画面サイズを含むことを特徴とする請求項５記載の電子アルバム装置。
【請求項８】
予め記録された音声ファイルを再生する音声再生手段を更に傭え、上記スライドショー制御手段は上記アクセス記緑ファイルを参照して、アクセス頻度の高いものについて、スライドショー実行時に音声再生手段に音声再生を指示することを特徴とする請求項５記載の電子アルバム装置。
【請求項９】
ブラウズモードとスライドショーモードを有し、画像記録媒体中に第１のグループ化態様にて予め記録された複数の電子画像ファイルについて上記第１のグループ化とは異なる第２のグループ化態様を実現して、この仮想グループ単位で上記画像ファイルを取り扱うことにより電子アルバムを作成鑑賞する方法であって、
どの画像ファイルが何回選択されたか、及び何秒間表示したかをカウントして、当該画像ファイル名とカウントデータと最終アクセス日時とを記録する、上記画像記録媒体中に画像ファイルとは独立して置かれるアクセス記録ファイルを、上記画像ファイルを任意に指定してブラウズ操作を行う際に活性化し、
上記アクセス記録ファイルを参照して、アクセス頻度の高いものについて、スライドショー実行時の表示時間ならびに表示サイズの少なくとも何れか一方を他のものと異ならせることを特徴とする電子アルバム作成鑑賞方法。
【請求項１０】
上記アクセス記録ファイルを参照して、アクセス頻度の高いものについて、スライドショー実行時に更に音声再生を行うことを特徴とする請求項９記載の電子アルバム作成鑑賞方法。
【発明の詳細な説明】
【技術分野】
【０００１】
本発明は、電子アルバムの改良に関し、スライドショー再生に変化を与えることが出来る電子アルバムに関する。
【背景技術】
【０００２】
自分が撮影した画像を集め、スライドショー(順次画像再生)などが楽しめる、電子アルバムについて種々の技術が提案されている。
【０００３】
デジタル画像群を１つのアルバムにまとめるに際して、特許文献１に開示された技術では、対話形式で入力したキーワードに基づいて検索を行う。特許文献２に開示された技術では、イベント情報に関連付けたコンテンツに基づいて検索を実行する。
【特許文献１】特開平１１−１７５５３３号公報
【特許文献２】特開２００２−３５８３１０号公報
【発明の開示】
【発明が解決しようとする課題】
【０００４】
しかし、従来提案されている電子アルバムは、例えば撮影日や撮影場所の同じ画像ファイル群をグループ化して扱うものであるため、同じような画像が集められる傾向になる。更に、従来のスライドショーではグループ内の画像ファイルの再生時間や表示サイズを個別に変化させることは容易でなかった。そのため、類型的な画像が増加して単調なアルバムとなってしまい、スライドショーが単調なものとなり易かった。
【０００５】
また従来の装置では、特別にアルバム作成の操作が必要な上、単に選択されたものを同じ時間だけ表示し、順次切り替えるといった、飽きやすい単調な表示制御を行うにとどまっていた。
【０００６】
本発明は、係る事情に鑑みてなされたものであって、スライドショー再生に変化を与えることが出来る電子アルバム装置及び電子アルバム作成鑑賞方法を提供することを目的とする。
【課題を解決するための手段】
【０００７】
上記課題を解決するための、本発明に係る請求項１に記載の電子アルバム装置は、メモリ内に格納された複数の画像からなる画像データ群から画像を選択して再生する再生手段と、上記画像ごとの選択頻度を検出する頻度検出手段と、上記選択頻度に従って上記複数の画像から抽出された画像からなる第２の画像データ群を決定する決定手段と、を具備する。
【０００８】
また、本発明に係る請求項２に記載の電子アルバム装置は、メモリ内に格納された複数の画像からなる画像データ群から画像を選択して再生する再生手段と、上記画像毎の再生時間を検出する再生時間検出手段と、上記再生時間に従って上記複数の画像から抽出された画像からなる第２の画像データ群を決定する決定手段とを具備する。
【０００９】
また、本発明に係る請求項３に記載の電子アルバム装置は、上記記載の発明である電子アルバム装置において、上記再生手段は、更に上記第２の画像データ群の画像を連続して再生し、上記電子アルバム装置は、上記第２の画像データ群の画像の上記選択頻度または再生時間に応じて、上記再生手段が連続再生する画像毎の再生時間と再生時の画像サイズとの少なくとも何れか一方を決定する決定手段を更に具備する。
【００１０】
また、本発明に係る請求項４に記載の電子アルバム装置は、複数の画像データを格納した記憶手段と、この記憶手段内の複数の画像データをグループ化するグループ化手段と、上記画像データのグループを選択し、選択されたグループ内の画像データを順次再生する再生手段と、を具備し、上記グループ化手段は、上記複数の画像データをグループ化する際の1画像あたりの累積再生時間、または、同一画像に対する累積選択回数に応じた情報を当該画像データの属性として付加するものであり、上記再生手段は、上記選択されたグループ内の画像データを順次再生する際に上記属性情報を参照して画像の再生時間、または再生サイズを変更する。
【００１１】
また、本発明に係る請求項５に記載の電子アルバム装置は、ブラウズモードとスライドショーモードを有し、画像記録媒体中に第１のグループ化態様にて予め記録された複数の電子画像ファイルについて上記第１のグループ化とは異なる第２のグループ化態様を実現して、この仮想グループ単位で上記画像ファイルを取り扱うことにより電子アルバムを作成鑑賞する装置であって、上記画像ファイルを任意に指定してブラウズ操作を行う際に活性化され、どの画像ファイルが何回選択されたか、及び何秒間表示したかをカウントして、当該画像ファイル名とカウントデータと最終アクセス日時とを記録する、上記画像記録媒体中に画像ファイルとは独立して置かれるアクセス記録ファイルと、上記アクセス記録ファイルを参照して、アクセス頻度の高いものについて、スライドショー実行時の表示時間ならびに表示サイズの少なくとも何れか一方を他のものと異ならせるスライドショー制御手段と、を具備する。
【００１２】
また、本発明に係る請求項６に記載の電子アルバム装置は、上記記載の発明である電子アルバム装置において、上記第２のグループ化操作は仮想的な操作である。
【００１３】
また、本発明に係る請求項７に記載の電子アルバム装置は、上記記載の発明である電子アルバム装置において、上記表示されるスライドショー画面は全画面サイズのみならず、少なくとも１枚の縮小画面サイズを含む。
【００１４】
また、本発明に係る請求項８に記載の電子アルバム装置は、上記記載の発明である電子アルバム装置において、予め記録された音声ファイルを再生する音声再生手段を更に傭え、上記スライドショー制御手段は上記アクセス記緑ファイルを参照して、アクセス頻度の高いものについて、スライドショー実行時に音声再生手段に音声再生を指示する。
【００１５】
また、本発明に係る請求項９に記載の電子アルバム作成鑑賞方法は、ブラウズモードとスライドショーモードを有し、画像記録媒体中に第１のグループ化態様にて予め記録された複数の電子画像ファイルについて上記第１のグループ化とは異なる第２のグループ化態様を実現して、この仮想グループ単位で上記画像ファイルを取り扱うことにより電子アルバムを作成鑑賞する方法であって、どの画像ファイルが何回選択されたか、及び何秒間表示したかをカウントして、当該画像ファイル名とカウントデータと最終アクセス日時とを記録する、上記画像記録媒体中に画像ファイルとは独立して置かれるアクセス記録ファイルを、上記画像ファイルを任意に指定してブラウズ操作を行う際に活性化し、上記アクセス記録ファイルを参照して、アクセス頻度の高いものについて、スライドショー実行時の表示時間ならびに表示サイズの少なくとも何れか一方を他のものと異ならせる。
【００１６】
また、本発明に係る請求項１０に記載の電子アルバム作成鑑賞方法は、上記記載の発明である電子アルバム作成鑑賞方法において、上記アクセス記録ファイルを参照して、アクセス頻度の高いものについて、スライドショー実行時に更に音声再生を行う。
【発明の効果】
【００１７】
本発明によれば、スライドショー再生に変化を与えることが出来る。
【発明を実施するための最良の形態】
【００１８】
〔第１の実施の形態〕
図１は、本発明に係る電子アルバム装置の基本的な使い方を説明する図である。
【００１９】
図１（ａ）はユーザー３０がデジタルカメラ２０で撮影レンズ２１を介して被写体像を撮影している状態を表している。撮影後は、ユーザーは図１（ｂ）に示すようにデジタルカメラ２０背面のモニタ５でメモリ内に格納された画像を確認することができる。また、カメラでの撮影内容は、図１（ｃ）に示すように自宅やオフィスのパーソナルコンピュータ（ＰＣ）のモニタ２２で確認する事もできる。
【００２０】
本実施の形態の電子アルバム装置では、次のようにしてアルバムの作成と再生を行う。
【００２１】
デジタルカメラ２０は、図１（ｄ）に示すように、クレードル２２の上に置かれて商用電源のコンセント２４を介して二次電池の充電が行われる。なお、デジタルカメラ２０はこのクレードル２２を介して、通信回線２３や無線電波によって外部との通信を可能としてもよい。外部との通信を可能とすることで、ＢＧＭなどの音楽や、その他の画像データを外部から取り入れる事が可能となる。
【００２２】
この充電期間中に、ユーザがアルバム作成を指示する操作を行なうと、デジタルカメラ２０は、図１（ｂ）又は（ｃ）のようにユーザー３０が、どの撮影画像を見たかという情報に基づいて、メモリ内にアルバム用データを作成する。そして、図１（ｅ）に示すように、再生機１２を用いて他の人と一緒にアルバムを鑑賞する場合には、このアルバム用データを用いて、アルバム再生制御を行なう。
【００２３】
更に本実施の形態でのアルバム再生制御では、図１（ｂ）、（ｃ）のように、ユーザが選択した画像を再生するのではなく、電子アルバム装置が自動的に画像を切り替えて再生する。つまり、切り替えのタイミングや画面内でのレイアウト制御などに、工夫をこらした自動切換再生が行われる。
【００２４】
図２は、本発明の第１の実施の形態に係る電子アルバム装置を用いた電子アルバムシステムの構成を示すブロック図である。
【００２５】
電子アルバムシステムは、デジタルカメラ２０と電子アルバム装置１とで構成されている。
【００２６】
デジタルカメラ２０には、メモリ２、選択部３、再生部４、表示部５、撮影部１４、通信部１５が設けられている。そして、メモリ２には、画像データ２ａとアルバム用データ２ｂとが格納され、選択部３と再生部４には、それぞれスイッチ３ａ、スイッチ４ａが設けられている。
【００２７】
被写体の光像は、撮影部１４で画像データに変換され、メモリ２内に画像データ２ａとして記録される。なお、画像データ２ａは通信部１５を介して、例えば図１（ｃ）のようにパソコンのモニタ２２に出力できるようにしても良い。また、図１（ｄ）のように、例えば通信回線２３を介して、通信を行ない、外部に用意されたコンテンツ（画像）を入力し、画像データ２ａとして記録できるように構成しても良い。
【００２８】
図１（ｅ）に示すように、アルバムを再生する時には、メモリ２内に記録されたアルバム用データ２ｂを参照しながら、再生部４がユーザーが操作するスイッチ４ａの操作に従って外部に設けられた第２表示部１２、又は、デジタルカメラ２０の裏面に配された表示部５（液晶モニタ）に画像再生を行なう。また、撮影後に画像を確認したい時にも、スイッチ４ａや選択部３のスイッチ３ａを操作することによって、任意の画像データ２ａを表示部５に再生することができる。
【００２９】
電子アルバム装置１は、時刻検出部６、再生方法決定部７、切替データ作成部８、作成部９、再生状態検出部１０を備えている。そして、作成部９には、スイッチ９ａが設けられている。
【００３０】
時刻検出部６は、画像データ２ａに含まれる撮影時刻を検出する。再生状態検出部１０は、図１（ｂ）（ｃ）に示す再生動作において、画像データ２ａの再生頻度、ユーザーがその画像を見ていた時間などを検出する。再生方法決定部７は、時刻検出部６と再生状態検出部１０との出力に基づいて、画像データ２ａを再生する順序や、レイアウトを決定する。
【００３１】
切替データ作成部８は、画像をどのように切替えていくかを決めるデータを生成して、その結果をアルバム用データ２ｂとして記憶させる。作成部９は、画像データ２ａやアルバム用データ２ｂをＤＶＤや、フラッシュメモリー等、外部の第２メモリ１１に形成させる。
【００３２】
第２メモリ１１に記録された画像データは、再生部１１ａを介して図１（ｅ）に示すプロジェクタなどの第２表示部１２に再生することができる。この場合、図１（ｅ）のプロジェクタにカードスロットなどを設け、そのスロットを介して入力されたメディアのデータを再生して、大画面に表示するように構成すれば、多くの人が楽しめる電子アルバムシステムとなる。
【００３３】
続いて、電子アルバム装置１の動作について図３乃至図５のフローチャートを参照しつつ説明する。
【００３４】
作成部９はスイッチ９ａの状態を監視し、ユーザがアルバム作成を行おうとしているかどうかを判定する。図３のステップＳ１においてＮｏの場合、即ち、アルバム作成以外の時は、図４のステップＳ４１において、スイッチ４ａの状態を検出してカメラが撮影モードであるか、再生モードであるかを判定する。ここで、撮影モードは、ユーザが撮影を実行するためのモードであり、再生モードは、メモリ２内の画像データ２ａをユーザが再生部４によって再生するためのモードである。
【００３５】
ステップＳ４１でＹｅｓの場合、即ち、再生モードである場合は、ステップＳ５１において、撮影画像の一覧を複数並べて表示部５に表示する。いわゆるサムネイルを表示部５に表示する。ステップＳ５２において、ユーザは、この画面を見ながら、所望の画像を選択する。選択がなされると、ステップＳ５３において、選択された画像を、表示部５に拡大表示する。
【００３６】
本実施の形態では、何度も表示部５に表示され、その表示時間が長かった画像を重要画像とする考え方を採用している。そこで、ステップＳ５４〜Ｓ５５において、この拡大表示がなされた時に、その画像を鑑賞した回数や時間をカウントする。つまり確認（モニタ再生）する都度に、その回数Ｋをインクリメントし、確認した時間ｔＫを積算する。
【００３７】
また、ステップＳ５６において、ユーザがその画像が重要だと判断した時には、その画像が重要である旨を指示する操作を行う。そうすると、ステップＳ６０において、確認回数Ｋを、大きな数Ｋ１に設定する。これによって、後述するアルバム作成時に、この画像が確認回数Ｋが小さいことを理由として削除されないようにする。
【００３８】
ステップＳ５７でＹｅｓの場合、即ち、ユーザが画像再生の終了を操作すると、確認した時間ｔＫの積算を終了するが、誤って再生される画像もあるので、その時は、ステップＳ５８でこれを判定する。つまり、画像の再生時間である確認時間ｔＫが所定時間ｔ０より短い時には、これは、操作ミスによってユーザが再生してすぐに再生を終了した場合であると判断する。そして、ステップＳ５９において、確認回数Ｋを１減じて、後述するアルバム作成時の優先度を下げる。
【００３９】
一方、図４のステップＳ４１においてＮｏの場合、即ち、撮影モード時は、ステップＳ４２において、ユーザがレリーズ操作を行ったタイミングで撮影部１４を制御して、所定のシーケンスで画像の取込と記録を行なう。ステップＳ４３においてＹｅｓの場合、即ち、記録された画像を確認する操作が行われれば、上述のステップＳ５３以降のフローに分岐する。これによって上述のように確認回数と確認時間のインクリメントが行われる。ステップＳ４３においてＮｏの場合、即ち、撮影画像の確認操作が行われなかった時には、図３のステップＳ１に戻って、次の操作がされるまで待機する。
【００４０】
このようにして、撮影モードでの撮影画像確認動作や、その後の再生モードでの画像再生において再生回数や鑑賞時間を算出し、この値に基づいて、アルバムを作成する。続いて、アルバム作成動作について説明する。
【００４１】
作成部９はスイッチ９ａの状態を監視し、図３のステップＳ１においてＹｅｓの場合、即ちアルバム作成が指示されたときは、ステップＳ２において、ユーザは時系列に並んだ複数のデータ画像２ａのうち、どの画像からアルバム作成を開始するかを選択する。
【００４２】
この選択操作は所定時間内で行う必要がある。ステップＳ３でＮｏ、ステップＳ４８でＹｅｓの場合の場合、即ち、所定時間が経過しても選択がされていない場合は、ステップＳ４９において、メモリ２に入っている最初の画像データからアルバム作成を行うようにする。なお、ステップＳ３でＮｏ、ステップＳ７でＹｅｓの場合の場合、即ち、選択がされていない場合で、アルバム作成の終了が操作されたときは、選択操作は、このアルバム作成の終了操作と共に終了する。
【００４３】
一方、ステップＳ３でＹｅｓの場合の場合、即ち、先頭の画像が選択されたときは、ステップＳ４において、選択した最初の画像と最終画像までの画像数Ｎを求める。そしてステップＳ５において、ユーザは再生時間Ｔ、再生時のＢＧＭとなる音楽情報を入力する。なお、ステップＳ６でＮｏ、ステップＳ９でＹｅｓの場合の場合、即ち、これらのデータが入力がされていない場合で、アルバム作成の終了が操作されたときは、入力操作は、このアルバム作成の終了操作と共に終了する。
【００４４】
ステップＳ６でＹｅｓの場合の場合、即ち、入力操作が終了すると、図５のステップＳ１０において、画像の重要度を判定する係数Ｍを０に初期化する。次に、ステップＳ１１において、再生時間Ｔを画像数Ｎで割って、各画像の再生時間を計算し、アルバム再生時１枚の画像あたりに使える時間を算出する。そしてこの時間が所定の時間Ｔ０未満かどうかを調べる。
【００４５】
ステップＳ１１でＹｅｓの場合、即ち、これが所定の時間Ｔ０未満なら、十分な鑑賞ができないとして、アルバム作成時の画像枚数を減少させる。この時減らされる画像は、上述の図４のステップＳ５３以下の処理において算定された確認回数Ｋや確認時間ｔＫの少ないものである。
【００４６】
そこで、ステップＳ２１〜Ｓ２３において、係数Ｍを１インクリメントして、確認回数ＫがＭに満たない画像や、確認時間ｔＫが所定の時間ｔ１に満たないものは、ユーザがあまり重視していない画像であるとして、アルバム候補画像から除外する。なお、時間ｔ１は、図４のステップＳ５８で用いた所定時間ｔ０に対し、ｔ１＞ｔ０の関係にある。ここで、除外された画像はサブ画像（後述）として使用できる可能性があるので、ステップＳ２４において、除外された画像は、サブ画像に分類して記録する。
【００４７】
ステップＳ２５において、除外されるデータ数ＮＭをもとの数Ｎから差し引いて、再度、ステップＳ１１にて、１つの画像に使用されるアルバム再生時の時間Ｔ／Ｎを算出して、それが所定の時間Ｔ０と比べてどうかを判定する。ステップＳ１１の条件が成立すれば、選択された画像を利用したアルバム作成を、ステップＳ１２以下の処理で開始する。一方、ステップＳ１１の条件を満たさない場合は、更に画像を削減する必要があるため、係数Ｍをインクリメントして上述の処理を実行する。
【００４８】
なお、ステップＳ１１で用いられる所定の時間Ｔ０はＢＧＭの音楽のテンポによって変更しても良い。つまり、テンポの早い曲なら、Ｔ０は短くても良い。なお、アルバムの画像として選択された画像を以下、メイン画像という。
【００４９】
ところで、図６（ａ）に示すようにＮ個のメイン画像を一定時間Ｔ／Ｎで再生するのでは、単調なアルバムとなってしまう。そこで、ステップＳ１２以下のフローでは、ユーザがモニタした時の確認時間ｔＫを参考にして、各画像の再生時間に変化を付ける。つまり、確認時間ｔＫが基準時間ｔＬより長かったものは、再生時間も長くする。また、確認時間ｔＫが基準時間ｔＳより短かったものは、再生時間も短かくする。しかし、この長短の制御を単純に行うと、所定の再生時間Ｔに収める事が困難となる。
【００５０】
そこで、ステップＳ１２〜Ｓ１３において、長め、短めに改正可能な画像の数を、それぞれｎＬ、ｎＳとして求める。そして、この数がアンバランスかどうかを、ステップＳ１４にて判定する。ｎＬ＞ｎＳのときは長時間再生のコマが多くなり、Ｔからはみ出してしまうという問題が発生する。一方、長時間再生のコマ数ｎＬが短時間再生のコマ数ｎＳと同じか、少ないのであればこのような問題は発生しない。
【００５１】
そこで、長時間再生のコマの数を制限するために、ステップＳ１４でＹｅｓの場合は、ステップＳ１５において、長時間再生選択の条件を厳しくして、基準時間ｔＬを２倍の２ｔＬとする。そして、再度ステップＳ１３の処理をくり返す。この処理を繰り返すことによりステップＳ１４の条件を満たすことができる。その時は、ステップＳ３１において、以降の再生時間決定のフローに続く。つまり、確認時間ｔＫが基準時間ｔＳより短い時間だった画像については、その再生時間を再生時間Ｔ／Ｎより短くして、１／２×Ｔ／Ｎとする。なお、ここでは、ステップＳ１３の繰り返し数が１の場合について再生時間を計算している。
【００５２】
次に、ステップＳ３２〜Ｓ３３において、長めに再生したい画像に許容される時間Ｔ１を求め、長めに再生したい画像の数ｎＬを用いて長時間再生コマの１コマあたりの再生時間をＴ１／ｎＬとして算出する。この処理によって再生時間を時間Ｔに収めることができる。また、このような再生時間設定によって、図６（ｂ）に示すように、再生時間に変化を持たせる事ができ、単調ではない鑑賞に耐える画像再生が可能となる。
【００５３】
次に、上述のステップＳ２１以下の処理においてメイン画像から除外された画像も、サブ画像として再生を可能とする。
【００５４】
あまりユーザが見ることなく、見たとしても短時間だった画像は、再生の優先度が低いという考え方に基づき、本実施例ではアルバム再生時間の制約から、メイン画像として採用されなかった画像については、原則として再生を行わない。しかし、メイン画像が、例えば、縦構図（縦長の画像）である場合、一般的な横長モニタに表示すると画面の横側に空きスペースが生じてしまう。
【００５５】
このような場合、その空きスペースには、他の画像を表示することができるので、図７（ａ）（ｂ）に示すように、優先度が低いと判定されたサブ画像を配置して再生する。このような考え方によって再生画面を有効に利用でき、更にサブ画像も生かした再生が可能となる。
【００５６】
この考え方を実現するために、ステップＳ３４において、メイン画像が縦構図であるかどうかを判定する。そして、ステップＳ３４でＹｅｓの場合、即ち、メイン画像が縦画像の時は、ステップＳ３５において、サブ画像を付加し、図７（ａ）（ｂ）のようなレイアウトの画面を１画面とする。そして、ステップＳ３６において、撮影された順番に従って再生の順番を決めて、再生時間と共に、アルバム作成用のデータとして、メモリ２のアルバム用データ２ｂに入力し、あるいは外部の第２表示部に再生表示するための第２メモリに画像データごと記録する。
【００５７】
このように、所定時間の再生時間内に、ユーザが良く見る画像は長時間再生し、ユーザがあまり見ない画像は、アルバム候補からはずしたり、又は、短時間再生したりして、取捨選択を行う。また画像によっては、同じ画面上に並べて配置再生する。これによって、変化をつけて楽しめる電子アルバム作成を行なう装置を提供する事が可能となる。
【００５８】
〔第１の実施の形態の変形例〕
また、第１の実施の形態の変形例として、確認回数Ｋや、確認時間ｔＫに従って画面の大きさを切りかえるような応用も可能である。つまり、図５のステップＳ３４〜Ｓ３６を図８に示すフローに変更すれば、重要度の高い画面は大きく表示し、あまり重要でない画面は小さく表示するような、図９の（ａ）→（ｂ）→（ｃ）のようなスライドショーの工夫ができる。
【００５９】
図８のステップＳ６１において、サブ画面がある時は、ステップＳ６２〜Ｓ６３において、各コマの確認時間ｔＫの平均値を求め、ステップＳ６４〜Ｓ６５において、各コマの確認回数Ｋの平均値を求める。そして、ステップＳ６６〜Ｓ６７において、この平均値が共に小さいメイン画像は、あまり重要な画像でないとして、図７（ｂ）のように縮小表示して、空いたスペースにサブ画面を付加する。
【００６０】
そして、ステップＳ６８において、撮影された順番に従って再生の順番を決めて、再生時間と共に、アルバム作成用のデータとして、メモリ２のアルバム用データ２ｂに入力し、あるいは外部の第２表示部に再生表示するための第２メモリに画像データごと記録する。
【００６１】
これによって、表示時間のみならず、表示画面の大きさなどにおいても、電子アルバム再生時の画面に変化を付けることができ、鑑賞に耐える単調でない電子アルバムが作成可能となる。
【００６２】
以上説明したように、アルバム鑑賞時の再生時間や、そこで鑑賞されるべき画像の選択や、表示方法の切換えを行うことにより、簡潔に要を得た鑑賞ができる電子アルバムの作成が可能となる。
【００６３】
なお、電子アルバム装置１は、図２の各実施の形態の構成に限られず、デジタルカメラ２０内に内蔵し、一体として新たな電子アルバム装置を構成しても良く、カメラの充電用クレードル２２（図１の（ｄ））に内蔵して一体として新たな電子アルバム装置を構成しても良く、通信手段を介して、図１（ｃ）のパソコンが専用のプログラムを持つような形で一体として新たな電子アルバム装置を構成しても良い。
【００６４】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００６５】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】本発明に係る電子アルバム装置の基本的な使い方を説明する図。
【図２】本発明の実施の形態に係る電子アルバム装置を用いた電子アルバムシステムの構成を示すブロック図。
【図３】電子アルバム装置の動作を示すフロー図。
【図４】電子アルバム装置の動作を示すフロー図。
【図５】電子アルバム装置の動作を示すフロー図。
【図６】メイン画像の再生時間を示す図。
【図７】サブ画像の配置を示す図。
【図８】電子アルバム装置の動作を示すフロー図。
【図９】スライドショーの方法を示す図。
【符号の説明】
【００６８】
１…電子アルバム装置、２…メモリ、２ａ…画像データ、２ｂ…アルバム用データ、４…再生部、５…表示部、６…時刻検出部、７…再生方法決定部、８…切替データ作成部、９…作成部、１０…再生状態検出部、１１…第２メモリ、１１ａ…再生部、１２…第２表示部、２０…デジタルカメラ。
【図１】
2006157632.tif 000003
【図２】
2006157632.tif 000004
【図３】
2006157632.tif 000005
【図４】
2006157632.tif 000006
【図５】
2006157632.tif 000007
【図６】
2006157632.tif 000008
【図７】
2006157632.tif 000009
【図８】
2006157632.tif 000010
【図９】
2006157632.tif 000011